(57)【要約】【課題】鉄骨の建て入れ直し（歪み直し）作業では、建て入れ調整作業員に手、笛、旗等で合図しなければならず、微妙な調整誘導が困難で熟練を要する。【解決手段】下位鉄骨柱Ｂの接合すべき部分に突設してなる一対の下位プレート１，１間に介在される伸縮アジャスター２と、一端側が該伸縮アジャスター２に固定され他端側が上位プレート３，３を押圧せしめるレベル調整手段４とを備える。伸縮アジャスター２は、シリンダー状のアジャスター本体２ａと、該アジャスター本体２ａ内に摺動自在に組み付けられたシリンダーロッド状の間隔調整部材２ｂとを備えており、油圧若しくは電動で可動する。レベル調整手段４は、伸縮アジャスター２に支持される固定ベース４ａと、該固定ベース４ａに取り付けされて上位プレート３，３を水平方向に押圧せしめる油圧シリンダー４ｂとを備える。【選択図】  図３
2006028821.tif 000002
【特許請求の範囲】
【請求項１】
上位鉄骨柱と下位鉄骨柱の接合すべき部分にそれぞれ一対のエレクションピース等のプレートを相対して突設してなる鉄骨柱等の鉄骨構造にあって、上位若しくは下位のプレート間に介在される伸縮アジャスターと、一端側が該伸縮アジャスターに固定され他端側が下位若しくは上位のプレートを押圧せしめるレベル調整手段とを備えてなることを特徴とするテンションジャッキ。
【請求項２】
前記伸縮アジャスターは、シリンダー状のアジャスター本体と、該アジャスター本体内に摺動自在に組み付けられて油圧若しくは電動で可動するシリンダーロッド状の間隔調整部材とを備えてなることを特徴とする請求項１に記載のテンションジャッキ。
【請求項３】
前記レベル調整手段は、伸縮アジャスターに支持される固定ベースと、該固定ベースに取り付けされてプレートを水平方向に押圧せしめる油圧シリンダーとを備えてなることを特徴とする請求項１に記載のテンションジャッキ。
【発明の詳細な説明】
【技術分野】
【０００１】
本発明は、鉄骨構造又は鉄骨コンクリート構造における鉄骨柱毎にレベル調整（柱目違いの調整及び柱水平精度の確保）が簡単にできる有用なテンションジャッキに関する。
【背景技術】
【０００２】
従来、鉄骨構造の建物を構築する場合、予め工場にて数層分を一節として加工した鉄骨柱を、構築現場にてタワークレーン等の建方機械により吊り上げて既設の鉄骨柱の遊端部に仮締めすると共に、数本の鉄骨柱を建て、上部を梁で仮に接続した後、ブロック毎にその起立姿勢をワイヤーロープ等を用いて調整して所謂「建ち」を入れ直し、所要の建方精度を得た後、鉄骨柱の本締めを行い又は溶接等により堅固に接続している。
【０００３】
また、鉄骨柱の建て入れ調整を行うテンションジャッキとして、対向する鉄骨柱のジョイント部分に相対して支持される一対の取付基部と、該取付基部のそれぞれに突設された支持受部と、該支持受部間に取り付けられるジャッキ等の変位可動部とを備えたものがある(特許文献１参照)。
【特許文献１】特開平８−１８９２０１号公報
【発明の開示】
【発明が解決しようとする課題】
【０００４】
しかしながら、上述した従来の建方技術では、その組立の構造上、転倒、倒壊の防止措置として、ワイヤーロープ、レバーブロック、シャックル、クリップ等が必要になるため、リース経費、購買費、運搬費などのコストがかかり、また、その鉄骨の建て入れ直し（歪み直し）作業では、接続位置に誘導作業員が必要になるため、人件費も嵩むものであり、更には、建て入れ調整作業員に手、笛、旗等で合図したり、トランシーバー等の無線機を用いて誘導しなければならないため、微妙な調整誘導が困難で相当の熟練を要するばかりでなく、誘導に手間がかかってしまうといった問題を有する。
【０００５】
また、従来のレベル調整具にあっては、ジョイント部分への取り付けの際、取付基部や変位可動部が意に反して落下してしまうといった問題があり、安全で、かつ、取り付けの簡単なレベル調整具が要望されている。
【０００６】
本発明はこのような従来の問題点及び要望に鑑みてなされたもので、コストの削減を図ると共に、建柱しようとする鉄骨柱の鉛直度のレベル調整が容易で、かつ、安全性の高いテンションジャッキの提供を目的としたものである。
【課題を解決するための手段】
【０００７】
上述の如き従来の問題点を解決し、所期の目的を達成するため本発明の要旨とする構成は、上位鉄骨柱と下位鉄骨柱の接合すべき部分にそれぞれ一対のエレクションピース等のプレートを相対して突設してなる鉄骨柱等の鉄骨構造にあって、上位若しくは下位のプレート間に介在される伸縮アジャスターと、一端側が該伸縮アジャスターに固定され他端側が下位若しくは上位のプレートを押圧せしめるレベル調整手段とを備えてなるテンションジャッキに存する。
【０００８】
前記伸縮アジャスターは、シリンダー状のアジャスター本体と、該アジャスター本体内に摺動自在に組み付けられて油圧若しくは電動で可動するシリンダーロッド状の間隔調整部材とを備えるのが良い。
【０００９】
前記レベル調整手段は、伸縮アジャスターに支持される固定ベースと、該固定ベースに取り付けされてプレートを水平方向に押圧せしめる油圧シリンダーとを備えるのが良い。
【発明の効果】
【００１０】
本発明は上述のように構成され、上位若しくは下位のプレート間に介在される伸縮アジャスターと、一端側が該伸縮アジャスターに固定され他端側が下位若しくは上位のプレートを押圧せしめるレベル調整手段とを備えてなること、延いては、前記伸縮アジャスターが、シリンダー状のアジャスター本体と、該アジャスター本体内に摺動自在に組み付けられて油圧若しくは電動で可動するシリンダーロッド状の間隔調整部材とを備えてなることによって、前記伸縮アジャスターで上位若しくは下位のプレートを反力にして下位若しくは上位のプレートを移動させることができるため、従来、転倒、倒壊の防止措置として使用されていたワイヤーロープ、レバーブロック、シャックル、クリップ等が不要になり、また、その分のリース経費、購買費、運搬費などのコスト削減が図れると共に、取り付けが頗る簡単であることも相俟って、熟練を要することなく誰にでも簡単にレベル調整を行うことができるといった効果を奏するものであり、全体として建て入れ作業の効率化を図り、作業時間を短縮化することができる。
【００１１】
また、前記レベル調整手段が、伸縮アジャスターに支持される固定ベースと、該固定ベースに取り付けされてプレートを水平方向に押圧せしめる油圧シリンダーとを備えることによって、小さな力で大きな鉄骨柱の目違いやレベルを調整すべく移動できるといった効果を奏する。
【００１２】
このように本発明のテンションジャッキは、水平レベルの調整と建て入れ作業の効率化が図られ、また、構成が単純であるため大量生産に適し、価格も低廉なものとして需要者に提供できるなど、本発明を実施することはその実益的価値が甚だ大である。
【発明を実施するための最良の形態】
【００１３】
上位鉄骨柱と下位鉄骨柱の接合すべき部分にそれぞれ一対のエレクションピース等のプレートを相対して突設してなる鉄骨柱において、上位若しくは下位のプレート間に介在される伸縮アジャスターと、一端側が該伸縮アジャスターに固定され他端側が下位若しくは上位のプレートを押圧せしめるレベル調整手段とを備え、前記伸縮アジャスターは、シリンダー状のアジャスター本体と、該アジャスター本体内に摺動自在に組み付けられて油圧若しくは電動で可動するシリンダーロッド状の間隔調整部材とを備えるのが良い。
【実施例１】
【００１４】
次に、本発明に係るテンションジャッキの実施の一例を図面を参照しながら説明する。図中Ａは、本発明に係るテンションジャッキであり、このテンションジャッキＡは、下位鉄骨柱Ｂの接合すべき部分に突設してなる一対の下位プレート１，１間に介在される伸縮アジャスター２と、一端側が該伸縮アジャスター２に固定され他端側が上位プレート３，３を押圧せしめるレベル調整手段４とを備えている。
【００１５】
下位プレート１，１は、スプライスプレート、ジョイントプレート、ガイドピース、エレクションピース若しくは吊りピース等の取付部材からなり、下位鉄骨柱Ｂの上端縁に対して垂直方向に配設されている。
【００１６】
一方、前記伸縮アジャスター２は、シリンダー状のアジャスター本体２ａと、該アジャスター本体２ａ内に摺動自在に組み付けられたシリンダーロッド状の間隔調整部材２ｂとを備えており、油圧若しくは電動で可動するものである。
【００１７】
また、間隔保持部材２ｂは、開放端側に固定ボルト５を螺合せしめるボルト保持部２ｃが付設されている。
【００１８】
他方、上位プレート３，３は、下位プレート１，１と同様、ジョイントプレート、ガイドピース、エレクションピース若しくは吊りピース等の取付部材からなり、下位プレート１，１と整合すべく上位鉄骨柱Ｃの下端縁側に相対して突設されている。
【００１９】
前記レベル調整手段４は、伸縮アジャスター２に支持される固定ベース４ａと、該固定ベース４ａに取り付けされて上位プレート３，３を水平方向に押圧せしめる油圧シリンダー４ｂとを備えている。
【００２０】
このように構成される本発明のテンションジャッキＡは、まず、落下防止のため、ロープ（図示せず）等をレベル調整手段４の固定ベース４ａに取り付け、次いで、図６(ａ)に示すように、伸縮アジャスター２のアジャスター本体２ａを下位プレート１，１間に取り付けるべく隔保持部材２ｂを油圧若しくは電動で伸長せしめて固定する。
【００２１】
また、その際、より確実な固定を実現するため、前記下位プレート１，１のボルト孔(図示せず)を介して固定ボルト５を伸縮アジャスター２のボルト保持部２ｃに取り付ける。次いで、レベル調整手段４を固定ベース４ａに取り付けた後、油圧シリンダー４ｂに油圧ポンプ（図示せず）をセットする。そして、同油圧ポンプを作動させることで、図６(ｂ)に示すように、下位プレート１，１を反力にして（上位の鉄骨柱Ｃに固定されている上位プレート３，３を介して）上位鉄骨柱Ｃを移動させることができ、両鉄骨柱Ｂ、Ｃのレベル調整を簡単に行うことができる。因に、図中１ａ，３ａは、プレート１，１の両面に添え付けたスプライスプレート、６は鉛直方向のレベル調整治具である。
【００２２】
尚、本発明のテンションジャッキＡは、本実施例に限定されることなく、本発明の目的の範囲内で自由に設計変更し得るものであり、本発明はそれらの全てを包摂するものである。
【図面の簡単な説明】
【００２３】
【図１】本発明に係るテンションジャッキの使用状態を示す説明図である。
【図２】同テンションジャッキの要部を示す斜視図である。
【図３】同テンションジャッキの取付状態を示す分解斜視図である。
【図４】同テンションジャッキの取付状態を示す分解斜視図である。
【図５】図５(ａ)は同テンションジャッキの使用状態を示す平面図、図５(ｂ)は同側面  図である。
【図６】図６(ａ)は下位の鉄骨柱Ｂと上位の鉄骨柱Ｃとのレベルが整合していない状態（未調整状態）を示す説明図、図６(ｂ)は両鉄骨柱Ｂ，Ｃのレベルを整合させた状態（調整状態）を示す説明図である。
【図７】鉛直方向のレベル調整を示す説明図である。
【符号の説明】
【００２４】
Ａ  テンションジャッキ
Ｂ  下位の鉄骨柱
Ｃ  上位の鉄骨柱
１  下位プレート
１ａ  スプライスプレート
２  伸縮アジャスター
２ａ  アジャスター本体
２ｂ  間隔調整部材
２ｃ  ボルト保持部
３  上位プレート
３ａ  スプライスプレート
４  レベル調整手段
４ａ  固定ベース
４ｂ  油圧シリンダー
５  固定ボルト
６  鉛直用のレベル調整治具
【図１】
2006028821.tif 000003
【図２】
2006028821.tif 000004
【図３】
2006028821.tif 000005
【図４】
2006028821.tif 000006
【図５】
2006028821.tif 000007
【図６】
2006028821.tif 000008
【図７】
2006028821.tif 000009